(57)【要約】  ナイフは、鞘部（１）、後部にあるハンドル（２）、摺動する刃部、ハンドルの表面下にある引き金（１１）を備えた作動システム、伝達ロッド、及び握り棒（９）を備えている。この工具は、困難な状況においてさえも十分な器用さを備えて、両手で把持される。厳環境下で作業するために利用される。
2009516553.tif 000002
【特許請求の範囲】
【請求項１】
鞘部（１）、該鞘部の後方に取り付けられたハンドル（２）、及び完全に前記鞘部の中に引き込まれるか又は前記鞘部の前部から外へ延在するように前記鞘部の中で摺動する刃部（３）を含むナイフであって、前記ハンドルの下で移動可能な引き金（１１）、該引き金を前記刃部に接続する接続ロッド（１４）、及び前記鞘部にヒンジ式に連結された握り棒（９）から成る、前記刃部の操作システムを含むことを特徴とするナイフ。
【請求項２】
前記引き金は、戻しばね（１３）を含んでいることを特徴とする請求項１に記載のナイフ。
【請求項３】
前記操作システムは、留め金を含んでいることを特徴とする請求項１又は２に記載のナイフ。
【請求項４】
前記留め金は、前記鞘部から外に延在し、ばね（２５）によって戻されるボタン（１７）を含むとともに大径部（１８）及び小径部（１９）を備えるロッド（１６）を含み、かつ、前記接続ロッド（１４）は、前記ロッドにより前後に移動される溝部（２０）を含み、前記溝部は、前記大径部が適合する幅広部（２１）及び前記小径部が摺動する幅狭部（２２）を含んでいることを特徴とする請求項３に記載のナイフ。
【請求項５】
前記操作システムは、端部停止部（２３）を含んでいることを特徴とする請求項１から４のいずれか１項に記載のナイフ。
【請求項６】
前記鞘部（１）の前部において前記刃部（３）を覆っている嘴状の移動可能保護キャップ（２６）を含むことを特徴とする請求項１から５のいずれか１項に記載のナイフ。
【請求項７】
前記嘴状のキャップは、前記刃部の上方に設置されているヒンジ式ジョイント（２７）を備えた軸によって前記鞘部に接続されており、前記刃部の前方に配置されているカバー（２９）及び前記刃部の両側に沿って延在している２つのチーク片（３０）を含み、前記カバー及び前記チーク片は前記刃部の下方に延在していることを特徴とする請求項６に記載のナイフ。
【発明の詳細な説明】
【技術分野】
【０００１】
本発明の主題は、特に、工具の直接の把持が不可能な厳環境のような、特定の状況で作業するように適合されている、引込み刃部を備えたナイフ（「カッター」）である。
【背景技術】
【０００２】
厳環境における作業は、操作者が彼の（又は彼女の）腕を挿入するグローブボックス、又は防護壁の別の側における操作者の動きをコピーするマスタアーム及びスレーブアームを備えた遠隔操作装置の中のグローブボックスの手段によって達成される。操作者は、完全に自由な動きを実現することができず、そして、普通に動いていると感じるのと同じ感覚を感じることはなく、よって、器用さは減じられる。それゆえ、多くの仕事、なかでも、通常は、ナイフ上の小さな機構を操作することによって達成される、ナイフの引き込み、刃部を引き出したり引き込んだりするような動き、及び選ばれた位置における刃部のロックといった、本明細書で考察されている用途は、実行が困難となる。また、ナイフは、刃部を移動するのかそれとも調整するのかによって、異なる方法で把持されなければならず、結果として注意を要する手順となる。ついには、刃部が引き出されている場合、不器用な動きによって、事故の危険性の増加が生じる可能性が最も高くなる。
【発明の開示】
【発明が解決しようとする課題】
【０００３】
本発明は、これら様々な欠点を排除するために設計された。本発明は、困難な状況においてさえも、そして安全な良い状況でも、相当に容易な操作を可能にする、示されたタイプの進化したナイフに関する。
【課題を解決するための手段】
【０００４】
その最も一般的な形態において、本発明は、鞘部、鞘部の後方に取り付けられたハンドル、及び完全に鞘部の中に引き込まれる、又は鞘部の前部から外へ延在するように、鞘部の中で摺動する刃部を含むナイフに関し、引き金を刃部に接続する接続ロッドを備えた、ハンドルの下で移動可能な引き金、及び鞘部の上にヒンジ式に連結された握り棒から成る、刃部の操作システムを含むことを特徴としている。
【発明を実施するための最良の形態】
【０００５】
操作者は、一方の手とハンドルによって、そしてもう一方の手と握り棒によって、ナイフを把持する。それゆえ、操作者は、使用中にナイフを移動させたり圧迫させたりするために、両方の手を使い、グローブボックスを通じて伸ばされた腕によって作業すること、又は遠隔制御アームを操作することが必要とされる場合でさえ、十分な器用さが備わる。刃部の制御は、到達位置からナイフを離すような動きの危険性を伴った、ナイフと関連した手の動きによる危険なしに、ハンドルを保持する手の引き締め動作によって発揮される。それゆえ、ナイフの安定した把持が、作業が実施される間に中断されることなく達成される。
【０００６】
また、引き金が、操作者がその手を開くことを要するだけで引き金が解放され、するとすぐに刃部が自動的に引き込まれるように戻しばねを含んでいることは、有利である。また、操作システムは、有利には、留め金が移動されない限り、刃部を引き込まれた状態に保持する安全留め金を含んでいる。操作システムの上に設置されている停止装置は、刃部の移動距離を制限することができる。最後に、付加的な保護装置を追加することができる。これは、刃部の上方に設置されているヒンジ式ジョイントによって鞘部に接続されている嘴状のキャップを意味し、このキャップは、刃部の前方に設置されたカバー及び刃部の両側に沿って延在する２つのチーク片（cheek pieces）を含み、カバー及びチーク片は刃部の上に置かれている。この特定の実施形態においては、嘴状のキャップは前方において刃部を覆っているが、ナイフが、切断すべき物体の上に降ろされる場合に、必要な量だけ持ち上がり、よって、嘴状のキャップがナイフの下の刃部の働きを妨げることはない。
【０００７】
本発明は、図面を参照して以下に記述される。
【０００８】
以上で述べられた記述は、主に図１及び２に関する。ナイフの本体は、前部において鞘部１を、後部においてハンドル２を含んでおり、これらは、ねじによって結合されている。先端部４を含み、斜めの前縁部を備えた、普通のタイプの刃部３が、鞘部１の中に収納されており、鞘部の中で摺動する。鞘部１は、取り外しのできるカバー５を含んでおり、このカバーは、カバーの中に開口部を形成するように使用され、よって、刃部３へのアクセスを提供し、刃部が交換される。ガイドマーク７又は別の参照マークに関連する刃部の位置をチェックするために、窓部６が、刃部３の所定の部分を、全ての状況において可視状態にするために、カバー５を貫いて作られている。
【０００９】
鞘部１に対しては、軸１０において握り棒９がヒンジ式に連結されているブラケット８が固定されており、その方向はナイフに対して横方向である。ブラケット８及び棒９は、鞘部１及びハンドル２の上方に設置されている。棒９は、軸１０にヒンジ式に連結されおり、よって、棒は、鞘部１及びハンドル２に関して、０°〜１８０°の角度にされる。
【００１０】
また、ナイフは、引き金１１を含んでおり、この引き金は、ハンドルの開口部を通じて、ハンドル２の下方に延在し、前部において横軸１２によってヒンジ式に連結されている。ハンドル２を把持している場合に、操作者は、手を閉じることによって簡単に、引き金１１を操作することができる。戻しばね１３が、引き金１１をその解放位置に戻している。
【００１１】
接続ロッド１４が、その後端部によって引き金１１にヒンジ式に連結されており、その前端部によって刃部３にヒンジ式に連結されている。引き金１１が操作された場合、接続ロッド１４が前方へ摺動し、刃部３を動かし、よって、刃部の端部を鞘部１の外へ押し出す。引き金１１が、その解放位置に戻った場合、刃部３は引き込まれる。しかし、留め金が最初に動かされない限り、留め金がこれらの動きを妨げる。これは、鞘部１を横切り、鞘部１の上方のロッドの上端にある押ボタン１７で終わっている、ロッド１６から成っている。ロッド１６は大径部１８及び大径部の上に小径部１９を含んでいる。加えて（図４参照）、ロッドは、溝部２０を通じて接続ロッド１４の中を通っており、この溝部は、前部に幅広部２１及び後部に幅狭部２２を含んでいる。ボタン１７が解放された場合には、ロッド１６は、溝部２０に沿って大径部１８の方へ移動し、大径部１８が溝部２０の幅広部２１へ合わせられ、接続ロッド１４の動きを阻むが、ボタン１７が押された場合には、ロッド１６は接続ロッド１４を通じて小径部１９へ通り、溝部２０の幅狭部２２に合わせられ、溝部の幅狭部の長さは、幅広部２１の長さよりも、さらに大きく、よって、接続ロッド１４が摺動することを可能にする。
【００１２】
大径部１８と鞘部１との間に押し縮められている戻しばね２５が、留め金１５を上方に押し、ロック位置を維持している。
【００１３】
接続ロッド１４の後部において、ヒンジ式ジョイント２３の軸が、ハンドル２に形成された切抜部２４の一端から反対端へ移動することによって、停止装置の機能を果たすことができる。
【００１４】
嘴状のキャップ２６が、鞘部１の前部に設置されており、このキャップは鞘部１の上部に対して横方向のヒンジ式ジョイント２７を形成する軸によってヒンジ式に連結されている。レバー２８の後ろで、嘴状のキャップ２６は、前面カバー２９及び二面チーク片（two side cheek pieces）３０を含む保護部を含んでいる。刃部３が引き出された場合には、先端部４は、カバー２９と同様に先端部を覆い、先端部の上に置かれるチーク片３０の間に延在する。ナイフが、切断すべき物体３１の上に降ろされる場合、前記物体３１によって上方へ押される嘴状のキャップ２６が上方へ回動し、よって、物体は刃部３の覆いを僅かに取り、作業の実行に応じて、先端部４が物体３１と接触するのを可能にしている。図３に示したように、ナイフが持ち上がられた場合、軸２７上に設置されているねじりばね３２が、嘴状のキャップ２６を閉鎖位置に戻す。
【図面の簡単な説明】
【００１５】
【図１】工具の外面の側面図である。
【図２】工具の側面断面図である。
【図３】工具の外面の平面図である。
【図４】工具の平面断面図である。
【符号の説明】
【００１６】
１    鞘部
２    ハンドル
３    刃部
４    先端部
５    カバー
６    窓部
７    ガイドマーク
８    ブラケット
９    握り棒
１０    軸
１１    引き金
１２    横軸
１３    戻しばね
１４    接続ロッド
１５    留め金
１６    ロッド
１７    押ボタン
１８    大径部
１９    小径部
２０    溝部
２１    幅広部
２２    幅狭部
２３    ヒンジ式ジョイント
２４    切抜部
２５    戻しばね
２６    キャップ
２７    ヒンジ式ジョイント
２８    レバー
２９    前面カバー
３０    二面チーク片
３１    切断すべき物体
３２    ねじりばね
【図１】
2009516553.tif 000003
【図２】
2009516553.tif 000004
【図３】
2009516553.tif 000005
【図４】
2009516553.tif 000006
【国際調査報告】
2009516553.tif 000007
2009516553.tif 000008
2009516553.tif 000009
2009516553.tif 000010